(57)【要約】【課題】ウェブページなどの閲覧用ページに含まれる画像を、より簡易な処理にて更新する。【解決手段】撮像機能を有する撮像端末２００は、撮像により得た画像データを、ウェブページを表示するためのページソースの画像挿入要素に含まれるファイル名を付加したうえで、ウェブサーバ１００にアップロードする。ここで、画像挿入要素に含まれるファイル名とは、当該ページソースによる閲覧用ページに表示されるべき画像データを指示するための情報である。【選択図】        図１
2005031855.tif 000002
【特許請求の範囲】
【請求項１】
撮像して画像データを得る撮像手段と、
閲覧用ページを表示するためのページソースにおいて当該閲覧用ページに含められる画像を表す画像データを特定するための識別情報を、前記撮像手段により得た画像データに付加する付加手段と、
ページソースを配信するサーバに対して、前記付加手段により識別情報が付加された画像データを送信する送信手段と
を具備することを特徴とする端末。
【請求項２】
前記付加手段は、
前記閲覧用ページにおける画像データの表示位置を示す画像位置表示手段と、
ユーザによって操作される操作手段と、
前記操作手段の操作に応じて前記画像位置表示手段が示した表示位置のいずれかを選択する選択手段とを有し、
前記選択手段によって選択された表示位置に対応する識別情報を前記画像データに付加する
ことを特徴とする請求項１に記載の端末。
【請求項３】
撮像して画像データを得る撮像手段と、
前記撮像手段により撮像された時点を示す時点情報を取得する時点情報取得手段と、
閲覧用ページを表示するためのページソースを配信するサーバに対して、前記撮像手段により得た画像データと前記時点情報取得手段により取得した時点情報とを送信する送信手段と
を具備することを特徴とする端末。
【請求項４】
撮像して画像データを得る撮像手段と、
前記撮像手段により撮像された時点の位置を示す位置情報を取得する位置情報取得手段と、
閲覧用ページを表示するためのページソースを配信するサーバに対して、前記撮像手段により得た画像データと、前記位置情報取得手段により取得した位置情報とを送信する送信手段と
を具備することを特徴とする端末。
【請求項５】
閲覧用ページを表示するためのページソースにおいて当該閲覧用ページに含められる画像を表す画像データを特定するための識別情報と、撮像された画像を表す画像データとを受信する受信手段と、
前記受信手段により受信した画像データが、ページソースにより閲覧用ページに表示されるべく、当該ページソースに含まれる識別情報のうち受信した識別情報と、受信した画像データとを対応付ける対応付手段と、
前記対応付手段により対応付けられた識別情報を含むページソースと、受信した画像データとを配信する配信手段と
を具備することを特徴とするサーバ。
【請求項６】
閲覧用ページを表示するためのページソースにおいて当該閲覧用ページに含められる画像を表す画像データを特定するための識別情報と、時点を示す時点情報とを対応付けて記憶する記憶手段と、
撮像された画像を表す画像データと、当該画像データが撮像された時点を示す時点情報とを受信する受信手段と、
前記記憶手段に記憶される識別情報のうち、前記受信手段により受信された時点情報に対応付けられた識別情報を特定する特定手段と、
前記受信手段により受信した画像データが、ページソースにより閲覧用ページに表示されるべく、当該ページソースに含まれる識別情報のうち前記特定手段により特定された識別情報と、前記受信手段により受信した画像データとを対応付ける対応付手段と
前記対応付手段により対応付けられた識別情報を含むページソースと、受信した画像データとを配信する配信手段と
を具備することを特徴とするサーバ。
【請求項７】
閲覧用ページにより表示されるページソースにおいて当該閲覧用ページに含められる画像を表す画像データを特定するための識別情報と、位置を示す位置情報とを対応付けて記憶する記憶手段と、
撮像された画像を表す画像データと、当該画像データが撮像された時点の位置を示す位置情報とを受信する受信手段と、
前記記憶手段に記憶される識別情報のうち、前記受信手段により受信された位置情報に対応付けられた識別情報を特定する特定手段と、
前記受信手段により受信した画像データが、ページソースにより閲覧用ページに表示されるべく、当該ページソースに含まれる識別情報のうち前記特定手段により特定された識別情報と、前記受信手段により受信した画像データとを対応付ける対応付手段と、
前記対応付手段により対応付けられた識別情報を含むページソースと、受信した画像データとを配信する配信手段と
を具備することを特徴とするサーバ。
【請求項８】
端末が、
撮像により画像データを取得し、
閲覧用ページを表示するためのページソースにおいて当該閲覧用ページに含められる画像を表す画像データを特定するための識別情報を、取得した画像データに付加し、
ページソースとそれに含まれる識別情報により特定される画像データとを配信するサーバに対して、識別情報が付加された画像データを送信する
ことを特徴とする画像データ送信方法。
【請求項９】
サーバが、
閲覧用ページを表示するためのページソースにおいて、当該閲覧用ページに含められる画像を表す画像データを特定するための識別情報と、撮像された画像を表す画像データとを受信し、
受信した画像データが、ページソースにより閲覧用ページに表示されるべく、当該ページソースに含まれる識別情報のうち受信した識別情報と、受信した画像データとを対応付け、対応付けられた識別情報を含むページソースと、受信した画像データとを配信する
ことを特徴とする情報配信方法。
【発明の詳細な説明】
【０００１】
【発明の属する技術分野】
この発明は、ウェブページなどの閲覧用ページのページソースを配信する情報配信システムに関し、特に、閲覧用ページに含まれる画像を更新するための技術に関する。
【０００２】
【従来の技術】
インターネットの普及に伴い、企業や個人がウェブページなどの閲覧用ページにより情報を公開する機会が増えつつある。一般に、ウェブページは、ＨＴＭＬ（Ｈｙｐｅｒｔｅｘｔ  Ｍａｒｋｕｐ  Ｌａｎｇｕａｇｅ）などのマークアップ言語によって記述されたページソースと、当該ページソースにより表示が指示された画像データとを含んだページデータとしてウェブサーバから提供される（例えば、特許文献１参照）。ここで、マークアップ言語とは、テキストや、画像、他のファイルへのリンクなどの各種情報を、それぞれのレイアウトを指定してブラウザの画面に表示させることが可能な言語である。ウェブサーバに接続された端末は、ウェブサーバからページデータの配信をうけて、ブラウザによりページデータをウェブページとして表示することができる。
一方、近年のデジタルカメラの普及に伴い、デジタルカメラによって撮像した画像を、ウェブページを介して公開する情報提供者も増えつつある。
【０００３】
【特許文献１】
特許第３２０１３８６号明細書（段落００２６）
【０００４】
【発明が解決しようとする課題】
ところで、従来においては、公開済みのウェブページに含まれる画像を、デジタルカメラにより撮像した画像に更新する場合、情報提供者は以下の手順に従って画像を更新しなければならなかった。まず、情報提供者は、デジタルカメラによって撮像し、撮像により得た画像データを、ウェブサーバと接続することが可能な端末に取り込む。続いて、情報提供者は、取り込んだ画像データがページソースにより表示されるべく、公開済みのウェブページのページソースを修正する。次いで、情報提供者は、修正したページソースと、取り込んだ画像データとを端末からウェブサーバにアップロードする。以上の処理により、ウェブサーバにより提供されるページソースと画像データとが更新され、ウェブページにおいて表示される画像が更新される。
このように、従来にあっては、公開済みのウェブページに含まれる画像を更新するには、情報提供者は、複数の段階からなる処理を行わなければならず、画像の更新に関わる処理が煩雑であった。
【０００５】
本発明は上述した事情に鑑みてなされたものであり、その目的とするところは、ウェブページなどの閲覧用ページに含まれる画像を、より簡易な処理にて更新することが可能な端末、サーバ、画像データ送信方法および情報配信方法を提供することにある。
【０００６】
【課題を解決するための手段】
上記課題を解決するために、本発明に係る端末は、撮像して画像データを得る撮像手段と、閲覧用ページを表示するためのページソースにおいて当該閲覧用ページに含められる画像を表す画像データを特定するための識別情報を、前記撮像手段により得た画像データに付加する付加手段と、ページソースを配信するサーバに対して、前記付加手段により識別情報が付加された画像データを送信する送信手段とを具備することを特徴とする。
かかる端末によれば、ユーザは、撮像して、撮像により得た画像データを端末からサーバに送信するための操作のみにより、閲覧用ページに含まれる画像を更新することができる。これにより、ユーザは、従来における画像の更新にかかる処理と比較して、より簡易な処理によって画像を更新することができる。
【０００７】
ここで、前記付加手段は、前記閲覧用ページにおける画像データの表示位置を示す画像位置表示手段と、利用者によって操作される操作手段と、前記操作手段の操作に応じて前記画像位置表示手段が示した表示位置のいずれかを選択する選択手段とを有し、前記選択手段によって選択された表示位置に対応する識別情報を前記画像データに付加する構成が好ましい。
この構成によれば、ユーザは、閲覧用ページに含まれる画像の表示位置のうち、画像を更新する表示位置を選択的に指示することが可能となる。
【０００８】
また、本発明は、撮像して画像データを得る撮像手段と、前記撮像手段により撮像された時点を示す時点情報を取得する時点情報取得手段と、閲覧用ページを表示するためのページソースを配信するサーバに対して、前記撮像手段により得た画像データと前記時点情報取得手段により取得した時点情報とを送信する送信手段とを具備することを特徴とする端末を提供する。
かかる端末によれば、サーバは、端末から受信した時点情報に応じて、ウェブページに含まれる画像を、受信した画像データにより表される画像に更新するこができる。これにより、ユーザは、撮像するのみで画像を更新することが可能となる。
【０００９】
以上のものとは別の観点から、本発明は、撮像して画像データを得る撮像手段と、前記撮像手段により撮像された時点の位置を示す位置情報を取得する位置情報取得手段と、閲覧用ページを表示するためのページソースを配信するサーバに対して、前記撮像手段により得た画像データと、前記位置情報取得手段により取得した位置情報とを送信する送信手段とを具備することを特徴とする端末を提供する。
この端末によれば、サーバは、端末から受信した位置情報に応じて、ウェブページに含まれる画像を、受信した画像データにより表される画像に更新するこができる。これにより、ユーザは、撮像するのみで画像を更新することが可能となる。
【００１０】
また、本発明にかかるサーバは、閲覧用ページを表示するためのページソースにおいて当該閲覧用ページに含められる画像を表す画像データを特定するための識別情報と、撮像された画像を表す画像データとを受信する受信手段と、前記受信手段により受信した画像データが、ページソースにより閲覧用ページに表示されるべく、当該ページソースに含まれる識別情報のうち受信した識別情報と、受信した画像データとを対応付ける対応付手段と、前記対応付手段により対応付けられた識別情報を含むページソースと、受信した画像データとを配信する配信手段とを具備する構成を特徴とする。
この構成によれば、ユーザは、撮像して、撮像により得た画像データを端末からサーバに送信するための操作のみにより、閲覧用ページに含まれる画像を更新することができる。これにより、ユーザは、従来の処理と比較して、より簡易な処理により、画像の更新を行うことができる。
【００１１】
また、本発明は、閲覧用ページを表示するためのページソースにおいて当該閲覧用ページに含められる画像を表す画像データを特定するための識別情報と、時点を示す時点情報とを対応付けて記憶する記憶手段と、撮像された画像を表す画像データと、当該画像データが撮像された時点を示す時点情報とを受信する受信手段と、前記記憶手段に記憶される識別情報のうち、前記受信手段により受信された時点情報に対応付けられた識別情報を特定する特定手段と、前記受信手段により受信した画像データが、ページソースにより閲覧用ページに表示されるべく、当該ページソースに含まれる識別情報のうち前記特定手段により特定された識別情報と、前記受信手段により受信した画像データとを対応付ける対応付手段と、前記対応付手段により対応付けられた識別情報を含むページソースと、受信した画像データとを配信する配信手段とを具備することを特徴とするサーバを提供する。
かかるサーバによれば、画像データが撮像された時点に応じて識別情報が特定されるため、ユーザが識別情報を選択するための作業を行うことなく、閲覧用ページに表示される画像を更新することが可能となる。
【００１２】
別の観点から、本発明は、閲覧用ページにより表示されるページソースにおいて当該閲覧用ページに含められる画像を表す画像データを特定するための識別情報と、位置を示す位置情報とを対応付けて記憶する記憶手段と、撮像された画像を表す画像データと、当該画像データが撮像された時点の位置を示す位置情報とを受信する受信手段と、前記記憶手段に記憶される識別情報のうち、前記受信手段により受信された位置情報に対応付けられた識別情報を特定する特定手段と、前記受信手段により受信した画像データが、ページソースにより閲覧用ページに表示されるべく、当該ページソースに含まれる識別情報のうち前記特定手段により特定された識別情報と、前記受信手段により受信した画像データとを対応付ける対応付手段と、前記対応付手段により対応付けられた識別情報を含むページソースと、受信した画像データとを配信する配信手段とを具備することを特徴とするサーバを提供する。
かかるサーバによれば、画像データが撮像された時点の位置に応じて識別情報が特定されるため、ユーザが識別情報を選択するための作業を行うことなく、閲覧用ページに表示される画像を更新することが可能となる。
【００１３】
さらに、本発明は、端末が、撮像により画像データを取得し、閲覧用ページを表示するためのページソースにおいて当該閲覧用ページに含められる画像を表す画像データを特定するための識別情報を、取得した画像データに付加し、ページソースとそれに含まれる識別情報により特定される画像データとを配信するサーバに対して、識別情報が付加された画像データを送信することを特徴とする画像データ送信方法を提供する。
この画像データ送信方法によれば、ユーザは、撮像して、撮像により得た画像データを端末からサーバに送信するための操作のみにより、閲覧用ページに含まれる画像を更新することができる。これにより、ユーザは、従来における画像の更新にかかる処理と比較して、より簡易な処理によって画像を更新することができる。
【００１４】
本発明は、サーバが、閲覧用ページを表示するためのページソースにおいて、当該閲覧用ページに含められる画像を表す画像データを特定するための識別情報と、撮像された画像を表す画像データとを受信し、受信した画像データが、ページソースにより閲覧用ページに表示されるべく、当該ページソースに含まれる識別情報のうち受信した識別情報と、受信した画像データとを対応付け、対応付けられた識別情報を含むページソースと、受信した画像データとを配信することを特徴とする情報配信方法を提供する。
この情報配信方法によれば、ユーザは、撮像して、撮像により得た画像データを端末からサーバに送信するための操作のみにより、閲覧用ページに含まれる画像を更新することができる。これにより、ユーザは、従来における画像の更新にかかる処理と比較して、より簡易な処理により、画像の更新を行うことができる。
【００１５】
【発明の実施の形態】
以下、本発明の実施の形態について図面を参照して説明する。
＜第１実施形態＞
＜全体構成＞
図１は、本発明の第１実施形態に係るウェブページ更新システムの全体構成を示す図である。このウェブページ更新システムは、情報提供者により提供されるウェブページなどの閲覧用ページに含まれる画像を、撮像により得た画像に更新するためのシステムである。
【００１６】
図１において、ウェブサーバ１００は、ウェブページを表示するためのページデータＤ１を、インターネット３００を介して閲覧端末１０２に配信するサーバである。ウェブサーバ１００により配信されるページデータＤ１には、ＨＴＭＬ（Ｈｙｐｅｒｔｅｘｔ  Ｍａｒｋｕｐ  Ｌａｎｇｕａｇｅ）などのマークアップ言語に従って記述されたページソースｄ１と、ページソースｄ１により表示位置が指定された画像データｄ２とが含まれる。
【００１７】
閲覧端末１０２は、ブラウザを記憶する記憶装置と、そのブラウザが実行されることによりページデータＤ１を表示する表示装置とを有している。この構成のもと、閲覧端末１０２は、インターネット３００を介してウェブサーバ１００からページデータＤ１（ページソースｄ１および画像データｄ２）の配信を受け、配信されたページデータＤ１に従って、ブラウザの表示領域にウェブページを表示する。なお、本実施形態においては、ウェブページ更新システムの構成要素として閲覧端末１０２を含めて説明するが、閲覧端末１０２は、ウェブページの更新には直接的には関与せず、ウェブページ更新システムにおいて必ずしも必要ではない。
【００１８】
撮像端末２００は、ページデータＤ１を提供する情報提供者により使用される端末であり、例えばｘＤＳＬ（ｘ  Ｄｉｇｉｔａｌ  Ｓｕｂｓｃｒｉｂｅｒ  Ｌｉｎｅ）に準拠した有線通信、あるいはＰＤＣ（Ｐｅｒｓｏｎａｌ  Ｄｉｇｉｔａｌ  Ｃｅｌｌｕｌａｒ）網３１０を介した無線通信によってインターネット３００に接続して、インターネット３００を介してウェブサーバ１００にデータを送信することができる。また、撮像端末２００は、デジタルカメラとしての機能を有しており、撮像した画像をデジタルデータとして得ることができる。
なお、本実施形態においては、ウェブサーバ１００は、インターネット３００を介してページデータＤ１を配信するが、ＬＡＮ（ｌｏｃａｌ  ａｒｅａ  ｎｅｔｗｏｒｋ）などのインターネット３００を介さないネットワークにより、閲覧用ページを表示するためのページデータＰ１を配信しても良い。
【００１９】
＜撮像端末２００の構成＞
図２は、撮像端末２００の構成を示すブロック図である。この図において、制御部２１０は、制御プログラムが記録されたＲＯＭ（Ｒｅａｄ  Ｏｎｌｙ  Ｍｅｍｏｒｙ）２１４と、ＲＯＭ２１４に記録された制御プログラムを実行するＣＰＵ（Ｃｅｎｔｒａｌ  Ｐｒｏｃｅｓｓｉｎｇ  Ｕｎｉｔ）２１２と、ＣＰＵ２１２によりワークエリアとして用いられるＲＡＭ（Ｒａｎｄｏｍ  Ａｃｃｅｓｓ  Ｍｅｍｏｒｙ）２１６とを含み、バス２０２を介して接続された構成各部を制御する。
【００２０】
ＲＯＭ２１４に記録される制御プログラムには、撮像のための制御プログラムや、ＦＴＰ（Ｆｉｌｅ  Ｔｒａｎｓｆｅｒ  Ｐｒｏｔｏｃｏｌ）に従ってウェブサーバ１００にデータをアップロードするためのプログラム、ファイル名変換処理を実行するためのプログラムが含まれる。このうち、ファイル名変換処理とは、撮像により得た画像データｄ２をウェブページに表示させるべく、画像データｄ２のファイル名を変換するための処理であるが、その詳細については後述する。
【００２１】
光学系機構２２０は、レンズなどの光学系を含み、被写体の像を表す光を撮像回路２２５に入力する。撮像回路２２５は、ＣＣＤ（Ｃｈａｒｇｅ  Ｃｏｕｐｌｅｄ  Ｄｅｖｉｃｅ）や画像圧縮回路を含む。このうち、ＣＣＤは、光学系機構２２０から入力された像を示す光を電気信号に変換する素子である。一方、データ圧縮回路は、ＣＣＤにより生成された電気信号により示される画像データを、例えばＧＩＦ（Ｇｒａｐｈｉｃ  Ｉｎｔｅｒｃｈａｎｇｅ  Ｆｏｒｍａｔ）形式に従って圧縮し、圧縮された画像データｄ２をバス２０２に供給する。
【００２２】
記憶装置２３０は、フラッシュメモリなどの不揮発性の記録媒体であり、画像データｄ２やディレクトリ情報Ｄ３を記憶する。このうち、画像データｄ２は、撮像回路２２５により生成された情報であり、固有なファイル名が付与されたうえで記憶装置２３０に記憶される。一方、ディレクトリ情報Ｄ３は、ウェブサーバ１００において、撮像端末２００のユーザが提供するページデータＤ１が格納された記憶領域を特定するためのアドレス（パス名）を示す情報である。
【００２３】
操作部２４０は、撮像を指示するシャッターボタンなどの操作子を含み、ユーザから入力された指示の内容を示す信号をバス２０２に供給する。表示部２５０は、例えば液晶表示パネルであり、ページデータＤ１の更新に関する指示をユーザに促すための画面などを表示する。また、通信インターフェース２６０は、インターネット３００を介してウェブサーバ１００に接続するための通信モジュールである。
以上の構成の撮像端末２００は、例えばデジタルカメラに通信機能を付加したり、これとは逆に、携帯電話機などの通信端末に撮像機能を付加したりすることによって実現される。
【００２４】
＜ウェブサーバ１００の構成＞
図３は、ウェブサーバ１００の構成を示すブロック図である。この図において、制御部１１０は、ＣＰＵ１１２や、ＲＯＭ１１４、ＲＡＭ１１６を含み、バス１０４を介して構成各部を制御する。このうち、ＲＯＭ１１４には、制御プログラムとして、画像データｄ２を加工するための画像処理プログラムを記憶する。また、通信インターフェース１２０は、インターネット３００に接続するためのインターフェースである。
【００２５】
記憶装置１３０は、例えば磁気ディスクなどの不揮発性の記録装置であり、ディレクトリ構造にあてはめてページデータＤ１を記憶する。具体的には、記憶装置１３０には、１つのディレクトリにつき、１つのウェブページを表示するためのページデータＤ１（ページソースｄ１および画像データｄ２）が格納されている。この説明において着目するページデータＤ１は、記憶装置１３０のうちディレクトリ「／ｍｅｍｂｅｒ１」に格納されているものとし、そのファイル名は「ｉｎｄｅｘ．ｈｔｍｌ」であるとする。また、ウェブサーバ１００のインターネット３００におけるアドレスは「ｈｔｔｐ：／／ｗｗｗ．＊＊＊＊．ｎｅ．ｊｐ」であるとする。このとき、閲覧端末１０２は、インターネット３００を介して、ＵＲＬ（Ｕｎｉｆｏｒｍ  Ｒｅｓｏｕｒｃｅ  Ｌｏｃａｔｏｒ）「ｈｔｔｐ：／／ｗｗｗ．＊＊＊＊．ｎｅ．ｊｐ／ｍｅｍｂｅｒ１／ｉｎｄｅｘ．ｈｔｍｌ」により特定されるファイルをダウンロードすることにより、撮像端末２００のユーザにより提供されるウェブページを表示することができる。
【００２６】
図４は、撮像端末２００のユーザが提供するウェブページ（ＵＲＬ「ｈｔｔｐ：／／ｗｗｗ．＊＊＊＊．ｎｅ．ｊｐ／ｍｅｍｂｅｒ１／ｉｎｄｅｘ．ｈｔｍｌ」）の内容を示す図である。また、図５および図６は、図４に示すウェブページをブラウザにより表示させるためのページデータＤ１の内容を示す図である。より詳細には、図５は、ディレクトリ「／ｍｅｍｂｅｒ１」に記憶されたページソースｄ１「ｉｎｄｅｘ．ｈｔｍｌ」の内容を示す図であり、図６は、同ディレクトリ「／ｍｅｍｂｅｒ１」に記憶された画像データｄ２の内容を示す図である。
【００２７】
図６に示すように、記憶装置１３０のディレクトリ「／ｍｅｍｂｅｒ１」には、ファイル名が異なる４つの画像データｄ２が格納されている。すなわち、ファイル名「ｎａｇａｎｏ−ｄａｙ．ｇｉｆ」の画像データｄ２と、ファイル名「ｎａｇａｎｏ−ｎｉｇｈｔ．ｇｉｆ」の画像データｄ２と、ファイル名「ｔｏｋｙｏ−ｄａｙ．ｇｉｆ」の画像データｄ２と、ファイル名「ｔｏｋｙｏ−ｎｉｇｈｔ．ｇｉｆ」の画像データｄ２とが格納されている。これらの画像データｄ２は、ＧＩＦ方式の画像データであり透過型表示に対応している。ＧＩＦ方式では、画像を構成する画素毎に、当該画素が透過画素と非透過画素とのいずれであるかを管理して、透過画素についてはウェブページの背景色を表示させる。これにより、ウェブページの閲覧者は、画像のうち透過画像については、あたかも透明であるかのように視認する。
【００２８】
例えば、図６に示すファイル名「ｔｏｋｙｏ−ｄａｙ．ｇｉｆ」および「ｔｏｋｙｏ−ｎｉｇｈｔ．ｇｉｆ」の画像データｄ２は、その表示領域は矩形であるが、斜線で示す領域に対応する画素が透過画素に設定されており、非透過画素群の輪郭は円形となっている。このため、ファイル名「ｔｏｋｙｏ−ｄａｙ．ｇｉｆ」の画像データｄ２がウェブページに表示されると、図４に示すように円形の輪郭を有する画像１８６Ｉとして表示される。同様に、ファイル名「ｔｏｋｙｏ−ｎｉｇｈｔ．ｇｉｆ」の画像データｄ２がウェブページに表示されると、図４に示における画像１８８Ｉとして表示される。
【００２９】
一方、図５に示すページソースｄ１は、ＨＴＭＬに従って記述されたデータであり、「長野の風景」や「東京の風景」、「●日中●」、「★日没★」などのテキストの表示をブラウザに指示するテキスト表示要素１６２と、ページソースｄ１と同一のディレクトリ（この例では「／ｍｅｍｂｅｒ１」）に格納された画像データｄ２の表示をブラウザに指示する画像挿入要素１７２、１７４、１７６および１７８とを含む。
【００３０】
このうち、画像挿入要素１７２＜ＩＭＧ  ＳＲＣ＝”ｎａｇａｎｏ−ｄａｙ．ｇｉｆ”  ＷＩＤＴＨ＝”３００”  ＨＥＩＧＨＴ＝”３００”  ＡＬＩＧＮ＝”ｌｅｆｔ”  ＢＯＲＤＥＲ＝”５”＞は、「ＳＲＣ＝”ｎａｇａｎｏ−ｄａｙ．ｇｉｆ”」によりファイル名「ｎａｇａｎｏ−ｄａｙ．ｇｉｆ」の画像データｄ２の表示を指示し、「ＷＩＤＴＨ＝”３００”」により表示させる画像の幅「３００」を指示し、「ＨＥＩＧＨＴ＝”３００”」により表示させる画像の高さ「３００」を指示し、「ＡＬＩＧＮ＝”ｌｅｆｔ”」により表示させるの配置位置「画面左端」を指示している。これにより、図４におけるウェブページにおいては、ファイル名「ｎａｇａｎｏ−ｄａｙ．ｇｉｆ」の画像データｄ２が配置位置１８２に、幅「３００」、かつ、高さ「３００」の大きさにて表示される。
【００３１】
同様に、画像挿入要素１７４（図５）は、ファイル名「ｎａｇａｎｏ−ｎｉｇｈｔ．ｇｉｆ」の画像データｄ２（図６）を配置位置１８４（図４）に表示させる旨をブラウザに指示し、画像挿入要素１７６（図５）は、ファイル名「ｔｏｋｙｏ−ｄａｙ．ｇｉｆ」の画像データｄ２（図６）を配置位置１８６（図４）に表示させる旨をブラウザに指示し、画像挿入要素１７８（図５）は、ファイル名「ｔｏｋｙｏ−ｎｉｇｈｔ．ｇｉｆ」の画像データｄ２（図６）を配置位置１８８（図４）に表示させる旨をブラウザに指示する。
【００３２】
このように、ページソースｄ１においては、表示すべき画像データｄ２をブラウザに特定させるための識別情報として、当該画像データｄ２のファイル名が用いられる。このため、ウェブページに含まれる画像を更新する場合、ページソースｄ１の内容と画像データｄ２のファイル名とを変更することなく、ディレクトリ「／ｍｅｍｂｅｒ１」に格納される画像データｄ２の内容を書き換えることにより、画像を更新することが可能である。
【００３３】
なお、後述するように、ページソースｄ１のうち画像挿入要素１６４に含まれる「ＷＩＤＴＨ（画像の幅）」の値、および「ＨＥＩＧＨＴ（画像の高さ）」の値については、情報提供者により選定された値が上書きされる。また、本実施形態においては、画像のサイズの指示子として、画像の幅と高さを指示する指示子（「ＷＩＤＴＨ」「ＨＥＩＧＨＴ」）を用いるが、ブラウザの画面上に割り当てられた座標系を用いることも可能である。すなわち、画像の頂点や中心の位置座標を指示することによって、画像のサイズおよびその形状を指定する構成としても良い。
【００３４】
＜ウェブページ更新処理＞
次に、ウェブサーバ１００と撮像端末２００との間で実行されるウェブページ更新処理について説明する。このウェブページ更新処理は、ウェブサーバ１００により提供されるウェブページに含まれる画像を更新するための処理である。なお、以下の説明においては、画像が更新されたウェブページを、閲覧端末１０２において表示する動作についても説明する。
【００３５】
図７は、ウェブページ更新処理のシーケンス図である。
この図において、まず、撮像端末２００の制御部２１０は、ユーザによりシャッターボタンが押下されたことを検出すると撮像し、撮像により得た画像データｄ２を記憶装置２３０に記憶させる（ステップＳａ１）。このステップＳａ１において、制御部２１０は、画像データｄ２毎に固有なファイル名（この例では、「ＰＩＣ００１．ｇｉｆ」とする）を付与したうえで画像データｄ２を記憶する。
【００３６】
次に、撮像端末２００の制御部２１０は、図８に示すような形状選択画面を表示部２５０に表示する（ステップＳａ２）。この形状選択画面は、撮像した画像をどのような形状にてウェブページに表示させるかの選定をユーザに促すための画面である。具体的には、形状選択画面は、画像の輪郭形状について「矩形」および「円形」のいずれであるかの選択と、画像の「高さ」の入力と、画像の「幅」の入力とをユーザに促す画面である。ユーザは、操作部２４０を操作することにより、輪郭形状の選択と、高さおよび幅の入力とを行うことができる。この動作例では、仮に、ユーザによって画像の「輪郭形状」として「円形」が選択され、「高さ」として「２００」が入力され、「幅」として「３００」が入力されたものとする。以降、ユーザにより入力された画像の「輪郭形状」と「高さ」と「幅」とを示す情報を「画像形状情報」と称する。
【００３７】
ユーザにより画像形状情報が入力されると、撮像端末２００の制御部２１０は、配置位置選択画面を表示するための配置位置選択画面データの要求を示す要求信号と、画像形状情報とをウェブサーバ１００に送信する（ステップＳａ３）。ここで、配置位置選択画面とは、ウェブページ（図４参照）における配置位置１８２、１８４、１８６および１８８のうちいずれの配置位置に、ステップＳａ１において撮像した画像を表示させるかの選択をユーザに促すための画面である。
【００３８】
ウェブサーバ１００の制御部１１０は、要求信号を受け取ると、要求信号と共に受け取った画像形状情報に応じて配置位置選択画面データを生成し、生成した配置位置選択画面データを撮像端末２００に送信する（ステップＳａ４）。
【００３９】
撮像端末２００の制御部２１０は、ウェブサーバ１００から配置位置選択画面データを受信すると、ファイル名変換処理を実行する（ステップＳａ５）。
図９は、撮像端末２００の制御部２１０が実行するファイル名変換処理を示す図である。図９において、まず、撮像端末２００の制御部２１０は、受信した配置位置選択画面データに従って配置位置選択画面を表示部２５０に表示させる（ステップＳａ５１）。図１０に示すように、配置位置選択画面には、画像形状情報に対応した形状（この例では、高さ「２００」、幅「３００」の楕円）の４つの領域（以下「表示領域」）２８２、２８４、２８６および２８８が描かれている。これらの表示領域２８２、２８４、２８６および２８８は、前掲図４に示すウェブページにおける配置位置１８２、１８４、１８６および１８８を模倣したレイアウトにて配置されている。具体的には、表示領域２８２が配置位置１８２に対応し、表示領域２８４が配置位置１８４に対応し、表示領域２８６が配置位置１８６に対応し、表示領域２８８が配置位置１８８に対応するよう各表示領域２８２、２８４、２８６および２８８が配置されている。
【００４０】
また、各表示領域２８２、２８４、２８６および２８８には、ページソースｄ１（図５参照）の画像挿入要素１７２、１７４、１７６および１７８に含まれる画像データｄ２のファイル名が対応付けられている。具体的には、表示領域２８２には、配置位置１８２への画像の表示を指示する画像挿入要素１７２に含まれるファイル名「ｎａｇａｎｏ−ｄａｙ．ｇｉｆ」が対応付けられている。また、表示領域２８４には、配置位置１８４への画像の表示を指示する画像挿入要素１７４に含まれるファイル名「ｎａｇａｎｏ−ｎｉｇｈｔ．ｇｉｆ」が対応付けられている。表示領域２８６には、配置位置１８６への画像の表示を指示する画像挿入要素１７６に含まれるファイル名「ｔｏｋｙｏ−ｄａｙ．ｇｉｆ」が対応付けられている。そして、表示領域２８８には、配置位置１８８に画像の表示を指示する画像挿入要素１７６に含まれるファイル名「ｔｏｋｙｏ−ｎｉｇｈｔ．ｇｉｆ」が対応付けられている。
【００４１】
撮像端末２００の制御部２１０は、ステップＳａ５１において配置位置選択画面を表示すると、ユーザにより表示領域２８２、２８４、２８６および２８８のいずれかが選択されるまで待機状態になる（ステップＳａ５２：Ｎｏ）。ユーザは、操作部２４０の操作により、いずれかの表示領域２８２、２８４、２８６および２８８を選択することができる。
【００４２】
ユーザによりいずれかの表示領域２８２、２８４、２８６および２８８が選択されると（ステップＳａ５２：Ｙｅｓ）、制御部２１０は、画像データｄ２のファイル名を変換する（ステップＳａ５３）。さらに詳述すると、制御部２１０は、撮像により得た画像データｄ２のファイル名「ＰＩＣ００１．ｇｉｆ」を、選択された表示領域に対応するファイル名に変換する。いま、表示領域２８２がユーザによって選択されたとすると、制御部２１０は、画像データｄ２のファイル名を、「ＰＩＣ００１．ｇｉｆ」から「ｎａｇａｎｏ−ｄａｙ．ｇｉｆ」に変換する。これにより、撮像により得られた画像データｄ２のファイル名が、ページソースｄ１に含まれる画像挿入要素１７２、１７４、１７６および１７８により表示が指示される画像データｄ２のファイル名に変換される。
【００４３】
再び図７に説明を戻す。撮像端末２００の制御部２１０は、画像データｄ２のファイル名を変換すると（ステップＳａ５）、ファイル名「ｎａｇａｎｏ−ｄａｙ．ｇｉｆ」の画像データｄ２と、画像形状情報と、ディレクトリ情報Ｄ３とをインターネット３００を介してウェブサーバ１００に送信する（ステップＳａ６）。このうち、ディレクトリ情報Ｄ３とは、上述したように、ページデータＤ１が格納される記憶エリアを示す情報であり、この例では、記憶装置２３０内のディレクトリ「／ｍｅｍｂｅｒ１」を示す情報である。
なお、セキュリティ上の観点から、ウェブサーバ１００は、情報提供者（撮像端末２００のユーザ）を認証したうえで、撮像端末２００からのデータのアップロードを許可する構成とすることが好ましい。
【００４４】
ウェブサーバ１００の制御部１１０は、撮像端末２００から画像データｄ２（ファイル名「ｎａｇａｎｏ−ｄａｙ．ｇｉｆ」）と、画像形状情報と、ディレクトリ情報Ｄ３とを受け取ると、まず、画像形状情報に従って画像データｄ２を加工する（ステップＳａ７）。例えば、いま、撮像端末２００から受信した画像データｄ２により示される画像の形状が、幅「６００」高さ「５００」の矩形であるとする。このとき、ウェブサーバ１００の制御部１１０は、図１１に示すように、画像データｄ２により示される画像のうち非透過画像の形状が、幅「６００」、高さ「５００」の矩形から、画像形状情報により示される幅「３００」、高さ「２００」の楕円となるように画像データｄ２を加工する。なお、制御部１１０は、加工前の画像の図心と加工後の画像の図心とが重なるようにして画像データｄ２を加工する。
【００４５】
再び図７において、ウェブサーバ１００の制御部１１０は、ステップＳａ７において加工した画像データｄ２（ファイル名「ｎａｇａｎｏ−ｄａｙ．ｇｉｆ」）を、記憶装置２３０のうちディレクトリ情報Ｄ３により示されるディレクトリ「／ｍｅｍｂｅｒ１」に上書きする（ステップＳａ８）。これにより、図１２に示すように、ディレクトリ「／ｍｅｍｂｅｒ１」に格納される４つの画像データｄ２のうち、ファイル名「ｎａｇａｎｏ−ｄａｙ．ｇｉｆ」の画像データｄ２により示される画像が、撮像端末４００からアップロードされた画像に更新される。
【００４６】
次に、ウェブサーバ１００の制御部１１０は、画像形状情報に応じて、ディレクトリ「／ｍｅｍｂｅｒ１」に格納されるページソースｄ１（図５参照）を更新する（ステップＳａ９）。より具体的には、画像形状情報により示される画像の幅および高さに応じて、ページソースｄ１のうち画像の幅「ＷＩＤＴＨ」を示す値と、画像の高さ「ＨＥＩＧＨＴ」を示す値とを更新する。この例では、制御部１１０は、その画像挿入要素１７２＜ＩＭＧ  ＳＲＣ＝”ｎａｇａｎｏ−ｄａｙ．ｇｉｆ”  ＷＩＤＴＨ＝”３００”  ＨＥＩＧＨＴ＝”３００”  ＡＬＩＧＮ＝”ｌｅｆｔ”  ＢＯＲＤＥＲ＝”５”＞のうち、「ＨＥＩＧＨＴ＝”３００”」を「ＨＥＩＧＨＴ＝”２００”」に更新する。これにより、ファイル名「ｎａｇａｎｏ−ｄａｙ．ｇｉｆ」に対応付けられた配置位置１８２に配置される画像のサイズがユーザにより選定されたサイズ（幅「３００」、高さ「２００」）となるように更新される。
【００４７】
以下、引き続き図７を参照して、ウェブサーバ１００から閲覧端末１０２へのページデータＤ１の配信の動作について説明する。
まず、閲覧端末１０２が、ＵＲＬ「ｈｔｔｐ：／／ｗｗｗ．＊＊＊＊．ｎｅ．ｊｐ／ｍｅｍｂｅｒ１／ｉｎｄｅｘ．ｈｔｍｌ」により特定されるページソースｄ１「ｉｎｄｅｘ．ｈｔｍｌ」の閲覧の要求を示す閲覧要求をウェブサーバ１００に送信する（ステップＳａ１０）。ウェブサーバ１００の制御部１１０は、閲覧端末１０２から閲覧要求を受信すると、ステップＳａ９において更新したページソースｄ１と、ステップＳａ８において更新した画像データｄ２（図１２参照）とを含むページデータＤ１を閲覧端末１０２に送信する（ステップＳａ１１）。閲覧端末１０２は、ページデータＤ１を受け取ると、図１３に示すようなウェブページをブラウザにより表示する（ステップＳａ１２）。
図１３に示すように、ウェブページのうち配置位置１８２には、撮像端末２００により撮像された画像がユーザにより選定された形状にて表示される。
【００４８】
以上説明したように、ウェブページ更新システムによれば、撮像端末２００は、画像データｄ２に対して、画像挿入要素１６４に含まれるファイル名を付加したうえで、画像データｄ２をウェブサーバ１００にアップロードする。このため、撮像端末２００のユーザは、ページソースｄ１の編集作業などを行うことなく、単に配置位置（表示領域）の選択と、画像の形状の選定との作業のみでウェブページに含まれる画像を更新することができる。この結果、従来におけるウェブページの更新にかかる処理と比較して、より簡易にウェブページの画像を更新することができ、その作業時間を大幅に短縮することができる。
【００４９】
もっとも、上記実施形態においては、ユーザは、撮像する毎に画像の表示形状を選定する構成としたが、画像の表示形状は固定としても良い。この構成によれば、ユーザは、画像の配置位置の選択のみで、ウェブページに表示される画像の更新を行うことができ、画像の更新に係る処理がさらに簡略化される。
また、ウェブページ更新システムにおいて、撮像端末２００として携帯型端末を用いれば、情報提供者は、位置的な制約を受けることなくウェブページを更新することが可能となる。
【００５０】
＜第２実施形態＞
上述した第１実施形態においては、配置位置１８２、１８４、１８６および１８８のうちユーザにより選択された配置位置に配置される画像を更新するウェブページ更新システムについて説明した。これに対し、第２実施形態に係るウェブページ更新システムは、画像データｄ２が撮像された位置および時点に応じてウェブサーバ１００が配置位置を選択し、ウェブサーバ１００により選択された配置位置に配置される画像を更新する。より詳細には、各配置位置１８２、１８４、１８６および１８８は、当該配置位置に配置されるべき画像データｄ２の条件として、画像データｄ２が撮像された位置についての条件と、撮像された時点についての条件とが情報提供者（撮像端末２００のユーザ）により設定されている。ウェブサーバ１００は、撮像端末４００からアップロードされた画像データｄ２の撮像された位置および時点から、当該画像データｄ２が配置され得る配置位置を選択し、選択した配置位置に画像データｄ２を表示させる。
以下の説明においては、第２実施形態に係るウェブページ更新システムのうち、上述した第１実施形態と共通する構成については同一の符号を付して、その詳細については省略する。
【００５１】
＜撮像端末４００の構成＞
図１４は、本発明の第２実施形態に係る撮像端末の構成を示す図である。この図に示すように、撮像端末４００は、位置情報生成部２７０および時点情報生成部２８０を有している点において第１実施形態に係る撮像端末２００と異なる。このうち、位置情報生成部２７０は、ＧＰＳ（Ｇｌｏｂａｌ  Ｐｏｓｉｔｉｏｎｉｎｇ  Ｓｙｓｔｅｍ）衛星群２７４から送出された電波に基づいて自装置の位置を測位するＧＰＳ測位部２７２を有しており、ＧＰＳ側位部２７２により測定された位置を示す位置情報を、「東京」や「長野」などの地名を表す情報としてバスに供給する。
【００５２】
一方、時点情報生成部２８０は、時刻をカウントする時刻カウンタ２８２を有しており、時刻を示す時刻情報をバスに供給する。制御部２１０は、撮像時に位置情報および時点情報を取得し、取得した位置情報および時点情報を、撮像により得た画像データｄ２と共にウェブサーバ１００に送信する。
【００５３】
＜ウェブサーバ１００の構成＞
第２実施形態にかかるウェブサーバ１００の構成は、前掲図３に示す第１実施形態にかかる構成と略同様であるが、その記憶装置１３０について、各ディレクトリに画像条件テーブルが格納されている点において第１実施形態のウェブサーバ１００と異なる。
【００５４】
図１５は、記憶装置１３０のディレクトリ「／ｍｅｍｂｅｒ１」に格納される画像条件テーブルの構成を示す図である。この図に示されるように、画像条件テーブルＴＢＬの１件のレコードには、「ファイル名」と「位置条件」と「時点条件」とが含まれる。このうち、ファイル名には、ディレクトリ「／ｍｅｍｂｅｒ１」に格納されるページソースｄ１によって表示が指示された画像データｄ２に対応するファイル名が格納される。上述したように画像データｄ２は、ページソースｄ１により自身のファイル名が指定されたうえで、配置位置１８２、１８４、１８６および１８８のいずれかの位置に表示される。
【００５５】
位置条件は、ファイル名に対応する配置位置１８２、１８４、１８６および１８８に配置されるべき画像の条件として、当該画像が撮像された位置（この例では地名）を示す情報が格納される。一方、時点条件は、ファイル名に対応する配置位置１８２、１８４、１８６および１８８に配置されるべき画像の条件として、当該画像が撮像された時点（この例では時刻）の範囲を示す情報が格納される。換言すると、撮像された位置が位置条件を満たし、かつ、撮像された時点が時点条件を満たす場合にのみ、画像データｄ２は、それらの位置条件および時点条件に対応するファイル名に対応付けられたいずれかの配置位置１８２、１８４、１８６および１８８に表示される。なお、画像条件テーブルＴＢＬに含まれる位置条件および時点条件は、あらかじめ情報提供者により設定される。
【００５６】
＜ウェブページ更新処理＞
次に、第２実施形態にかかるウェブページ更新処理について図１６を参照して説明する。第２実施形態にかかるウェブページ更新処理においては、ウェブページに含まれる画像の形状および大きさは固定（例えば、幅３００かつ高さ３００の矩形）であり、ユーザにより変更されないものとする。
【００５７】
図１６において、まず、撮像端末４００の制御部２１０は、ユーザによりシャッターボタンが押下されたことを検出すると撮像し、撮像により得た画像データｄ２を記憶装置２３０に記憶する（ステップＳｂ１）。このステップＳｂ１において、制御部２１０は、固有なファイル名（この例では、「ＰＩＣ００１．ｇｉｆ」を想定する）を画像データｄ２に付与したうえで記憶装置２３０に記憶する。
【００５８】
次に、撮像端末４００の制御部２１０は、画像データｄ２が撮像された時点における位置情報を位置情報生成部２７０から取得すると共に、画像データｄ２が撮像された時点における時点情報を時点情報生成部２８０から取得する（ステップＳｂ２）。次いで、撮像端末４００の制御部２１０は、記憶装置２３０から画像データｄ２を読み出して、画像データｄ２と位置情報と時点情報とディレクトリ情報Ｄ３とをウェブサーバ１００に送信する（ステップＳｂ３）。
【００５９】
ウェブサーバ１００の制御部１１０は、画像データｄ２と位置情報と時点情報とディレクトリ情報Ｄ３とを撮像端末４００から受信すると、位置情報および時点情報に応じて、画像データｄ２に付加すべきファイル名を画像条件テーブルＴＢＬから特定する（ステップＳｂ４）。例えば、いま、撮像端末４００から受信した位置情報が「長野」を示し、時点情報が「１３：００」を示す場合、ウェブサーバ１００の制御部１１０は、前掲図１５に示す画像条件テーブルＴＢＬを参照し、位置条件が「長野」であり、かつ、時点条件が「５：００〜１８：５９」であるレコードに含まれるファイル名「ｎａｇａｎｏ−ｄａｙ．ｇｉｆ」を、画像データｄ２に付加すべきファイル名として特定する。
【００６０】
次に、ウェブサーバ１００の制御部１１０は、画像データｄ２のファイル名「ＰＩＣ００１．ｇｉｆ」を、ステップＳｂ４において特定したファイル名「ｎａｇａｎｏ−ｄａｙ．ｇｉｆ」に変換する（ステップＳｂ５）。これにより、撮像された位置および時点に応じた配置位置１８２、１８４、１８６および１８８に対応するファイル名が画像データｄ２に付与される。
【００６１】
続いて、ウェブサーバ１００の制御部１１０は、ファイル名「ｎａｇａｎｏ−ｄａｙ．ｇｉｆ」の画像データｄ２を、記憶装置２３０のうちステップＳｂ３で受け取ったディレクトリ情報Ｄ３により示されるディレクトリ「／ｍｅｍｂｅｒ１」に上書き保存する（ステップＳｂ６）。これにより、ディレクトリ「／ｍｅｍｂｅｒ１」に格納される画像データｄ２の内容が更新され、ウェブサーバ１００から閲覧端末１０２に配信されるページデータＤ１に含まれる画像データｄ２が更新される。
【００６２】
このように、第２実施形態にかかるウェブページ更新システムによれば、画像データｄ２が撮像された位置および時点に応じて、当該画像データｄ２が表示されるべき配置位置１８２、１８４、１８６および１８８がウェブサーバ１００により選択されて、選択された配置位置に画像データｄ２が表示される。このため、情報提供者（撮像端末４００のユーザ）は、ウェブページを更新するにあたり、撮像により得られた画像データｄ２をウェブページに送信するのみで良く、ウェブページの更新に係る作業が、ユーザにより選択された配置位置１８２、１８４、１８６および１８８における画像を更新する構成よりもさらに簡易なものとなる。
【００６３】
＜変形例＞
本発明の適用形態は、上述した第１および第２実施形態に限らず、各実施形態に種々の応用、改良、変更等を加えることが可能である。
例えば、上述した各実施形態においては、単一のウェブサーバ１００により提供されるウェブページを更新する例を示したが、複数のウェブサーバ１００により提供される複数のウェブページを選択的に更新する構成としても良い。より具体的には、撮像端末２００のユーザは、複数のウェブページを公開しており、それらのページデータＤ１を、それぞれ異なるウェブサーバ１００がら配信させている。撮像端末２００の記憶装置２３０には、それぞれのページデータＤ１にアクセスするためのディレクトリ情報Ｄ３が記憶されており、ユーザは、ディレクトリ情報Ｄ３を選択することにより、管理するページデータＤ１のいずれかを選択的に更新することができる。
【００６４】
また、上述した各実施形態においては、ひとつのウェブページを構成するページソースｄ１と画像データｄ２とは同一のディレクトリに格納されていたが、これに限らない。例えば、ひとつのウェブサーバ１００の記憶装置１３０において、異なるディレクトリにページソースｄ１と画像データｄ２とが独立に格納される構成としても良いし、複数のウェブサーバ１００の記憶装置１３０間において、ページソースｄ１と画像データｄ２とが分散して格納される構成としても良い。なお、複数のウェブサーバ１００間に分散してページソースｄ１と画像データｄ２とが記憶される場合、ページソースｄ１における画像データｄ２を識別するための情報は、ファイル名に加えて、当該画像データｄ２が格納されるディレクトリのパスが必要となる。
【００６５】
上述した各実施形態においては、ウェブページに含まれる画像を、他の画像に差し替える例を示したが、ウェブページに含まれる複数の画像間において、互いの位置を入れ替えることも可能である。さらに詳述すると、ウェブページに含まれる複数の画像に対応する画像データｄ２が、撮像端末２００の記憶装置２３０に記憶されているものとする。この状況のもと、例えば、ウェブページのうち２つの画像の位置を入れ替えるものであれば、前掲図９に示すファイル名変換処理において、対応する２つの画像データｄ２のそれぞれのファイル名が、移行先のファイル名に変換されるべく、ユーザが表示領域（配置位置）を選択すれば良い。これにより、ウェブページにおける複数の画像間の入れ替えも容易に行うことができる。
【００６６】
また、上述した第２実施形態においては、時点情報として「時刻」を示す情報を用いたが、「時刻」に限らず、「年」や「月日」などの時点を示す情報であれば、任意に時点情報として採用することができる。換言すると、ウェブページにおける配置位置１８２，１８４、１８６および１８８に配置されるべき画像の条件として、その画像が撮像された「年」や「月日」などを用いても良い。
【００６７】
上記第１実施形態においては、配置位置１８２，１８４、１８６および１８８の選択をユーザに促すための配置位置選択画面の一例として図１０を示したが、配置位置選択画面の構成は図１０に示す構成に限らない。さらに詳述すると、図１０における配置位置選択画面は、各配置位置１８２，１８４、１８６および１８８のレイアウトに対応付けられた表示領域２８２、２８４、２８６および２８８により配置位置の選択をユーザに促したが、各配置位置１８２，１８４、１８６および１８８に対応付けられた文字情報により配置位置の選択を促す構成としても良い。
【００６８】
図１７（ａ）は、配置位置１８２、１８４、１８６および１８８の選択を文字情報にて促す配置位置選択画面を例示する図である。この図に示す配置位置選択画面には、文字情報が対応付けられた４つのソフトボタン２５２、２５４、２５６、および２５８が含まれる。すなわち、配置位置選択画面には、文字情報として「右上」が表示されたソフトボタン２５２と、文字情報として「左上」が表示されたソフトボタン２５４と、文字情報として「右下」が表示されたソフトボタン２５６と、文字情報として「左下」が表示されたソフトボタン２５８とが含まれる。これらの文字情報「右上」、「左上」、「右下」および「左下」は、ユーザに対して、ウェブページにおける配置位置１８２、１８４、１８６および１８８の大凡の位置を示唆している。
【００６９】
また、端末２００の記憶装置２３０には、図１７（ｂ）に示すように、各ソフトボタン２５２、２５４、２５６および２５８に表示された４つの文字情報と、４つの画像挿入要素１７２、１７４、１７６および１７８（図５参照）に含まれるファイル名とが対応付けられて記憶されている。さらに詳述すると、文字情報「右上」にはファイル名「ｎａｇａｎｏ−ｄａｙ．ｇｉｆ」が対応付けられており、文字情報「左上」にはファイル名「ｎａｇａｎｏ−ｎｉｇｈｔ．ｇｉｆ」が対応付けられており、文字情報「右下」にはファイル名「ｔｏｋｙｏ−ｄａｙ．ｇｉｆ」が対応付けられており、文字情報「左下」にはファイル名「ｔｏｋｙｏ−ｎｉｇｈｔ．ｇｉｆ」が対応付けられている。
【００７０】
以上の構成のもと、端末２００の制御部２１０は、前掲図９に示すファイル名変換処理において、図１７（ａ）に示す配置位置選択画面に含まれるソフトボタン２５２、２５４、２５６および２５８のいずれかがユーザにより選択されると以下のようにしてファイル名を変換する。すなわち、制御部２１０は、記憶装置２３０において選択されたソフトボタン２５２、２５４、２５６および２５８に表示される文字情報に対応づけられたファイル名を、撮像により得た画像データのファイル名に変換する。これにより、第１実施形態と同様に、簡易な処理によって、ウェブページに表示される画像を更新することができる。
【００７１】
なお、図１７（ａ）においては、文字情報として「右上」、「左上」、「右下」および「左下」などの位置を示す文字列を用いたが、ユーザが配置位置１８２、１８４、１８６および１８８との対応関係を識別可能な文字列であれば、位置を示さない文字列を用いることが可能である。さらに、文字列（文字情報）の替わりに、記号や図柄を示す画像を用いたとしても、以上説明した文字情報を用いた構成と同様な効果を奏する。
【図面の簡単な説明】
【図１】本発明の第１実施形態にかかるウェブページ更新システムの全体構成を示す図である。
【図２】同ウェブページ更新システムに含まれる撮像端末の構成を示す図である。
【図３】同ウェブページ更新システムに含まれるウェブサーバの構成を示す図である。
【図４】同ウェブサーバにより提供されるウェブページを示す図である。
【図５】同ウェブサーバにより記憶されるページソースを示す図である。
【図６】同ウェブサーバにより記憶される画像データを示す図である。
【図７】同ウェブページ更新システムの全体の動作を示す図である。
【図８】同撮像端末において表示される形状選択画面を示す図である。
【図９】同撮像端末が実行するファイル名変換処理を示す図である。
【図１０】同撮像端末により表示される配置位置選択画面を示す図である。
【図１１】同ウェブサーバによる画像データの加工の様子を示す図である。
【図１２】同ウェブサーバにおいて更新された画像データを示す図である。
【図１３】画像が更新されたウェブページを示す図である。
【図１４】本発明の第２実施形態にかかる撮像端末の構成を示す図である。
【図１５】同ウェブサーバに記憶される画像条件テーブルを示す図である。
【図１６】同ウェブページ更新システムの動作を示す図である。
【図１７】配置位置選択画面の変形例を説明するための図である。
【符号の説明】
１００…ウェブサーバ、１１０…制御部、２００，４００…撮像端末、２１０…制御部、２２５…撮像回路、２７０…位置情報生成部、２８０…時点情報生成部、３００…インターネット
【図１】
2005031855.tif 000003
【図２】
2005031855.tif 000004
【図３】
2005031855.tif 000005
【図４】
2005031855.tif 000006
【図５】
2005031855.tif 000007
【図６】
2005031855.tif 000008
【図７】
2005031855.tif 000009
【図８】
2005031855.tif 000010
【図９】
2005031855.tif 000011
【図１０】
2005031855.tif 000012
【図１１】
2005031855.tif 000013
【図１２】
2005031855.tif 000014
【図１３】
2005031855.tif 000015
【図１４】
2005031855.tif 000016
【図１５】
2005031855.tif 000017
【図１６】
2005031855.tif 000018
【図１７】
2005031855.tif 000019